(57)【特許請求の範囲】
【請求項１】
複数のコネクタ端子が配設されたハウジングと、このハウジングの両側部に対向して設けられ、前記コネクタ端子に接続されるＩＣカードが挿着され保持されるガイド溝を有するガイドフレームと、このガイドフレームに設けられ前記ＩＣカードが挿入される挿入口と、この挿入口を開閉するシャッター部材とを備え、前記シャッター部材は回動可能に支持されており、前記ＩＣカードが前記挿入口内に挿入される際に、前記ＩＣカードに押圧されて回動して前記挿入口が開くようになっており、前記シャッター部材の表面側には、前記挿入口内に前記ＩＣカードが挿着された時、前記ＩＣカードの表面又は裏面に膨出する膨出部との当接を防止する、薄肉状の切り欠き凹部を形成し、前記シャッター部材の前記切り欠き凹部の両側端側には、前記ＩＣカードが前記挿入口に挿入される際に前記ＩＣカードの前面部が当接する、厚肉状の平坦部を形成したことを特徴とするＩＣカード用コネクタ。
【請求項２】
前記ガイドフレームの前面側に架設された支持フレームを備え、前記ガイドフレームは、上下２段に前記ガイド溝が形成されると共に、前記シャッター部材は、前記ガイド溝に対応して個々に開閉可能なように、前記支持フレームに回動可能に支持されていることを特徴とする請求項１記載のＩＣカード用コネクタ。
【発明の詳細な説明】
【０００１】
【発明の属する技術分野】
本発明は、パーソナルコンピュータなどの記憶媒体などに用いられるＩＣカードなどが着脱されて使用される、ＩＣカード用コネクタの構造に関する。
【０００２】
【従来の技術】
パーソナルコンピュータにはＩＣカード用コネクタが設けられているものがあり、このＩＣカード用コネクタには記憶媒体としてＩＣカードが装着されるようになっている。
【０００３】
このＩＣカードをＩＣカード用コネクタに挿着して必要な情報の書き込み、及び読み取りを行うが、このＩＣカードにはＩＣ（集積回路）などの半導体が組み込まれており、また、高周波回路を使用することから外部に電磁波ノイズ等の影響を与え易く、ＥＭＩ（輻射ノイズ）対策を行うために、シールド板などのシールド部材を備えたものがある。
【０００４】
また、ＩＣカードが挿入されていない状態の時には、内部が見えないようにするために、ＩＣカード用コネクタのＩＣカード挿入口に、シャッター機構を備えたものが知られている。このシャッター機構を備えたＩＣカード用コネクタとしては、ＩＣカード用コネクタの前面に取り付けられる開閉可能なシャッター部材を、ハウジングや、またはハウジングに形成されたガイドフレームに一体的に形成されているものが一般的であった。
【０００５】
すなわち、従来のシャッター機構を備えたＩＣカード用コネクタの構造としては、複数のコネクタ端子が配設されたハウジングや、ＩＣカードが挿着され保持されるガイドフレームを、合成樹脂などの絶縁材や金属板などの導電材で形成し、このハウジングやガイドフレームの前面側、すなわちＩＣカードが挿入される側にシャッター部材を支持する支持部材を一体的に形成し、この支持部材にシャッター部材を開閉可能となるように回動支持して形成していた。
【０００６】
【発明が解決しようとする課題】
しかしながら、上述した従来のＩＣカード用コネクタの構造においては、ＩＣカードが挿入されるとシャッター部材がそれぞれ回動し、挿入完了状態ではそれぞれのシャッター部材がＩＣカードの厚さ方向の面上に重なった状態となることから、ＩＣカード用コネクタの厚さ方向の寸法が、シャッター部材の厚さの分だけ増加してしまうため、薄型化を図ることが困難であるという問題があった。
【０００７】
また、シャッター部材を薄く形成することも考えられるが、薄く形成した場合には、ＩＣカードの挿入時の回動時に変形したり破損してしまうという問題があった。
【０００８】
したがって、本発明では上述した問題点を解決し、シャッター機構を備えたＩＣカード用コネクタの構造で、シャッター部材の強度を維持したままで薄型化が図れると共に、ＩＣカードの挿入を容易に行うことが可能なＩＣカード用コネクタの構造を提供することを目的とする。
【０００９】
【課題を解決するための手段】
上記課題を解決するために本発明では第１の手段として、複数のコネクタ端子が配設されたハウジングと、このハウジングの両側部に対向して設けられ、前記コネクタ端子に接続されるＩＣカードが挿着され保持されるガイド溝を有するガイドフレームと、このガイドフレームに設けられ前記ＩＣカードが挿入される挿入口と、この挿入口を開閉するシャッター部材とを備え、前記シャッター部材は回動可能に支持されており、前記ＩＣカードが前記挿入口内に挿入される際に、前記ＩＣカードに押圧されて回動して前記挿入口が開くようになっており、前記シャッター部材の表面側には、前記挿入口内に前記ＩＣカードが挿着された時、前記ＩＣカードの表面又は裏面に膨出する膨出部との当接を防止する、薄肉状の切り欠き凹部を形成し、前記シャッター部材の前記切り欠き凹部の両側端側には、前記ＩＣカードが前記挿入口に挿入される際に前記ＩＣカードの前面部が当接する、厚肉状の平坦部を形成したことを特徴とする。
【００１０】
また、第２の手段として、前記ガイドフレームの前面側に架設された支持フレームを備え、前記ガイドフレームは、上下２段に前記ガイド溝が形成されると共に、前記シャッター部材は、前記ガイド溝に対応して個々に開閉可能なように、前記支持フレームに回動可能に支持されていることを特徴とする。
【００１２】
【発明の実施の形態】
以下、本発明の実施例を図１乃至図５に示す。図１乃至図４は本発明のＩＣカード用コネクタの第１の実施例を示し、図１は本発明のＩＣカード用コネクタの斜視図、図２は同じく平面図、図３は同じく側面図、図４は同じく正面図である。
【００１３】
図において、ハウジング１は合成樹脂などの絶縁材で形成されており、このハウジング１には、内部にＩＣカード３が挿入される収納部１ａが設けられている。この収納部１ａの内底部には、導電性の金属材からなる複数のコネクタ端子２が並設されており、このコネクタ端子２の一端側は、前記ハウジング１の外方へ導出されて、後述する中継基板５に接続される接続部２ａが形成されている。また、前記コネクタ端子２の他端側は、前記ハウジング１の収納部１ａ内に導出され、ＩＣカード３のソケットコネクタ３ａと接続される接触部（図示せず）が形成されたものとなっている。
【００１４】
シールド板４は、ステンレス板や鋼板などの金属材で、略方形の板状に形成されており、前記コネクタ端子２が並設された前記ハウジング１の上面側を覆うように配設されている。このシールド板４には、ＩＣカード３の図示しないディンプル（接地用突起部）に接触する切り起こし片からなる複数の接片４ａが並んで形成されている。
【００１５】
中継基板５は、フェノール樹脂などの積層板からなり、その表面には複数の回路パターン（図示せず）や、前記コネクタ端子２や、前記シールド板４が半田付けされて電気的に接続される、接続ランド部（図示せず）が形成されたものとなっている。この中継基板５は前記ハウジング１の背面側に配設され、前記ハウジング１が図示しない回路基板上に取り付けられる時に、回路基板上に装着されたカードエッジコネクタに挿着されるものとなっている。
カードエッジコネクタは基板挿着タイプの中継用コネクタで、前記中継基板５の図示しない回路パターンを介して前記コネクタ端子２の接続部２ａと、メインの回路基板の回路パターン（図示せず）とを電気的に接続している。
【００１６】
イジェクトノブ６は、金属板からなるスライダ部６ａと、このスライダ部６ａの一端側に取り付けられた操作ツマミ部６ｂとを備え、前記ハウジング１と、このハウジング１の両側部に対向して延設された一対の後述するガイドフレーム９の内、一方の側部に、スライド可能に取り付けられている。また、前記イジェクトノブ６の他端側は、同じく金属板からなるイジェクトレバー７と係合されており、このイジェクトレバー７は、前記イジェクトノブ６をプッシュ動作することにより、その自由端部（図示せず）が回動し、この自由端部がＩＣカード３の端部を押圧することで、前記ハウジング１の収納部１ａに収納されたＩＣカード３が排出方向に押され、ＩＣカード３が前記ハウジング１の収納部１ａから排出されるものとなっている。コイルばね８は、前記イジェクトレバー７を初期位置へ付勢する復帰ばねである。
【００１７】
ガイドフレーム９は、合成樹脂などの絶縁材で方形の棒状に形成されている。このガイドフレーム９の一端側は前記ハウジング１の両側部に係合されて、前記ハウジング１と、一対のこのガイドフレーム９、９とに囲まれた中空域が、ＩＣカード３を挿着、保持するＩＣカード挿入部となっている。また、前記ガイドフレーム９の内側面には、ＩＣカード３が挿着され保持されるガイド溝９ａが形成されており、このガイド溝９ａは、それぞれ対向して上下２段に形成されたものとなっている。また、前記ガイドフレーム９の前面側近傍には、図示しない回路基板へねじ止めなどの方法で取り付けられる取付孔部９ｂが形成されている。この取付孔部９ｂに後述する支持フレーム１０の接地片部１０ｇが取り付けられて、回路基板のグランドパターンへ接続されるものとなっている。
【００１８】
支持フレーム１０は、金属板などの導電材を折り曲げ加工することで形成されている。この支持フレーム１０は上部フレーム部１０ａと下部フレーム部１０ｂとから形成され、この上部フレーム部１０ａと下部フレーム部１０ｂのそれぞれの側板部１０ｃ、１０ｄ同士を係合することにより、貫通する開口部１０ｅを有する箱形に形成されるものとなっている。また、前記上部フレーム部１０ａの両端部には、外方へ延設されて弾性変形可能な、一対の弾性取付片部１０ｆが形成されており、この弾性取付片部１０ｆの先端側には、前記ガイドフレーム９の取付孔部９ｂにねじ止めなどの方法で取り付けられる接地片部１０ｇが設けられている。
【００１９】
前記開口部１０ｅの一端側、すなわちＩＣカード３の挿入口となる側には、合成樹脂などの絶縁材からなる一対のシャッター部材１１が取り付けられている。このシャッター部材１１は、前記支持フレーム１０の側板部１０ｃ、１０ｄに設けられた軸孔１０ｈ、１０ｉと、前記シャッター部材１１の側面部に設けられた回動軸１１ａとによって、開閉可能となるように回動支持されて取り付けられたものとなっている。
【００２０】
また、ＩＣカード３が挿入される前記シャッター部材１１の表面側には、長尺状に、薄肉状に切り欠いた、切り欠き凹部１１ｂが形成されている。また、この切り欠き凹部１１ｂの対向する両側端側には、それぞれ厚肉状の平坦部１１ｃ、１１ｃが形成されたものとなっている。
前記シャッター部材１１に、前記切り欠き凹部１１ｂを形成することにより、ＩＣカード３が前記挿入口に挿着された状態において、ＩＣカード３に設けられた膨出部３ｂとの当接を回避することができることから、ＩＣカード用コネクタの厚さ方向の寸法を薄くすることができ、薄型化の対応が可能となっている。
【００２１】
また、前記切り欠き凹部１１ｂの対向する両側端側に、それぞれ厚肉状の平坦部１１ｃ、１１ｃを形成することにより、ＩＣカード３が前記挿入口に挿入される際には、ＩＣカードの前面部が前記平坦部１１ｃ、１１ｃに当接することにより、前記切り欠き凹部１１ｂには応力が及ばないことから、前記シャッター部材１１の変形や破損を防止することができる。
尚、ＩＣカード３には、種類によっては前記膨出部３ｂのないものもあるが、この場合においても問題なく挿入する事ができ、部品の共通化が図れるものとなっている。
【００２２】
前記支持フレーム１０が前記ガイドフレーム９、９の前面側に架設された場合には、一対の前記シャッター部材１１、１１は、それぞれ前記ガイドフレーム９、９に設けられた上下２段の前記ガイド溝９ａ、９ａに対応して個々に開閉が可能なように、前記支持フレーム１０に観音開き動作するように支持されたものとなっている。
このため、上下２段の前記ガイド溝９ａ、９ａの一方にＩＣカード３が挿入された場合でも、ＩＣカード３が挿入されていない側の前記シャッター部材１１を閉じた状態にしておくことが可能となっている。
【００２３】
また、前記支持フレーム１０は、前記ガイドフレーム９、９とは別体で形成されており、前記弾性取付片部１０ｆ、１０ｆで前記ガイドフレーム９、９に弾性挟持している構造となっていることから、取り付けが簡単で装着が可能なため、シャッター機構付のＩＣカード用コネクタと、シャッター機構無しのＩＣカード用コネクタとの部品の共通化が図れる。
また、前記支持フレーム１０は、ＩＣカード３の挿入口である前記開口部１０ｅの周面を取り囲むように金属板を折り曲げて形成してあることから、ＥＭＩ（輻射ノイズ）対策に対して大きな効果が得られるものとなっている。
【００２４】
カバー部材１２は、金属板などの導電材で平板状に形成されており、前記ハウジング１、及び前記ガイドフレーム９、９の上面側、或いは下面側を覆うように配設されている。このカバー部材１２でＩＣカード３の挿入部を覆うことにより、より一層のシールド効果が得られる。
【００２５】
図５は、本発明のＩＣカード用コネクタの第２の実施例を示す。
尚、図１乃至図４で説明した部品と同一の部品については同一符号を付してその説明を省略する。
【００２６】
図５に示す構成と、図１乃至図４に示した第１の実施例との構成の違いは、前記支持フレーム１０の構造が一部相違している点である。
この場合、支持フレーム１３は、一枚の金属板で折り曲げ形成されており、下面が開口された状態で、略Ｕ字状に形成されている。この下面の開口部には、前記ハウジング１や前記ガイドフレーム９、９の下面側を覆うカバー部材１４が延設されて、この延設部１４ａが前記支持フレーム１３の下面の開口部を塞ぐように構成されている。
このように、前記支持フレーム１３の一部を前記カバー部材１４が兼用する構造としたことから、前記支持フレーム１３の構造を簡単にできるため、シャッター機構の簡略化が図れるものとなる。
【００２７】
また、前記支持フレーム１３の両側板部１３ａには、内側へ切り起こした上下一対の突出部１３ｂ、１３ｂが形成されており、この突出部１３ｂ、１３ｂは、前記ガイドフレーム９、９に形成された上下２段の前記ガイド溝９ａ、９ａに対応した位置に形成されている。  このように、前記支持フレーム１３の両側板部１３ａに前記突出部１３ｂ、１３ｂを設けることにより、ＩＣカード３の挿入口である開口部１３ｃに挿入されたＩＣカード３が、前記突出部１３ｂ、１３ｂによって前記ガイドフレーム９、９のガイド溝９ａ、９ａに案内されることから、前記ガイドフレーム９，９の前端部と、前記シャッター部材１１が回動支持されるＩＣカード３の挿入口との間に隙間が生じることがなく、ＩＣカード３を挿入する際に前記ガイドフレーム９、９のガイド溝９ａ、９ａに容易にＩＣカードを挿入することができるものとなる。
【００２８】
【発明の効果】
以上説明したように、本発明のＩＣカード用コネクタは、ＩＣカードの挿入口を開閉するシャッター部材の表面側に、挿入口にＩＣカードが挿着された時、ＩＣカードの表面又は裏面に膨出する膨出部との当接を防止する、薄肉状の切り欠き凹部を形成したことから、ＩＣカードが挿入口に挿着された状態において、ＩＣカードに設けられた膨出部との当接を回避することができるため、ＩＣカード用コネクタの厚さ方向の寸法を薄くすることができ、薄型化の対応が可能となる。
【００２９】
また、シャッター部材の切り欠き凹部の両側端側には、ＩＣカードが挿入口に挿入される際にＩＣカードの前面部が当接する、厚肉状の平坦部が形成されていることから、ＩＣカードが挿入口に挿入される際には、ＩＣカードの前面部が平坦部に当接することにより、切り欠き凹部には応力が及ばないため、シャッター部材の変形や破損を防止することができる。
【００３０】
また、ガイドフレームの前面側に架設された支持フレームを備え、ガイドフレームは、上下２段にガイド溝が形成されると共に、シャッター部材は、ガイド溝に対応して個々に開閉可能なように、支持フレームに回動可能に支持されていることから、上下２段のガイド溝の一方にＩＣカードが挿入された場合でも、ＩＣカードが挿入されていない側のシャッター部材を閉じた状態にしておくことができる。
【図面の簡単な説明】
【図１】本発明の第１の実施例であるＩＣカード用コネクタを示す斜視図である。
【図２】本発明の同じくＩＣカード用コネクタを示す平面図である。
【図３】本発明の同じくＩＣカード用コネクタを示す側面図である。
【図４】本発明の同じくＩＣカード用コネクタを示す正面図である。
【図５】本発明の第２の実施例であるＩＣカード用コネクタを示す一部を分解した斜視図である。
【符号の説明】
１  ハウジング
１ａ  収納部
２  コネクタ端子
２ａ  接続部
３  ＩＣカード
３ａ  ソケットコネクタ
３ｂ  膨出部
４  シールド板
４ａ  接片
５  中継基板
６  イジェクトノブ
６ａ  スライダ部
６ｂ  操作ツマミ部
７  イジェクトレバー
８  コイルばね
９  ガイドフレーム
９ａ  ガイド溝
９ｂ  取付孔部
１０  支持フレーム
１０ａ  上部フレーム
１０ｂ  下部フレーム
１０ｃ，１０ｄ  側板部
１０ｅ  開口部（挿入口）
１０ｆ  弾性取付片部
１０ｇ  接地片部
１０ｈ，１０ｉ  軸部
１１  シャッター部材
１１ａ  回動軸
１１ｂ  切り欠き凹部
１１ｃ  平坦部
１２，１４  カバー部材
１３  支持フレーム
１３ａ  側板部
１３ｂ  突出部
１３ｃ  開口部（挿入口）
１４ａ  延設部
【図１】
0003729701.tif 000002
【図２】
0003729701.tif 000003
【図３】
0003729701.tif 000004
【図４】
0003729701.tif 000005
【図５】
0003729701.tif 000006